(57)【要約】【課題】本発明の課題は、血液型判定検査の際に検査に用いる抗血清の汚染並びに検査担当者の検査試料の飛沫による感染を防止する方法及び検査結果の安全な報告並びに保管方法を提供することである。【解決手段】市販のマイクロタイタープレートのウエル内で血液型判定の検査を行うことにより、抗血清の汚染並びに検査担当者の検査試料の飛沫による感染を防止でき、その検査結果をデジタルカメラ等で画像処理して、その画像を印刷したものを検査結果として報告することにより、安全な検査結果の報告が可能であるとともに結果の保管管理も簡単に行える。【選択図】　図３
2004144534.tif 000002
【特許請求の範囲】
【請求項１】
複数の試料液を保持できる反応容器であり、該反応容器は使用するまでは内容物を含んでいなく、そして試料液を保持した状態で遠心分離可能な反応容器を用いることを特徴とする血液型判定検査方法。
【請求項２】
請求項１記載の反応容器がマイクロプレートである血液型判定検査方法。
【請求項３】
複数の試料液を保持できる反応容器、スライド又は試験管を用いる血液型判定検査結果の報告方法において、検査結果を画像処理し、該検査結果を視覚化して検査依頼者又は被検者に提供することを特徴とする検査結果の報告方法。
【請求項４】
請求項３に記載の画像処理した検査結果を電子ファイル化し保管又は管理することを特徴とする検査結果の処理方法。
【請求項５】
請求項３又は４に記載の方法に用いる記録媒体。
【発明の詳細な説明】
【０００１】
【発明の属する技術分野】
本発明は血液型判定検査方法、その結果の報告方法及び検査結果の保管、管理方法として用いられる。
【０００２】
【従来の技術】
血液型判定の検査は、ＡＢＯ型の表試験及び裏試験、ＲＨ型の検査、不規則抗体の試験等多岐に及ぶ。これらの検査は一般に紙、プラスチック及びガラススライド等のスライド上又は試験管内で行われている。最も汎用されている方法は、紙、プラスチック及びガラス等のスライド上で滴下した検査用の抗血清と検査試料を混和して、凝集を判定する方法である。そして検査した平板を乾燥させて検査結果を保存している。また平板をフィルムで包みカード状に加工して保存又は、検査依頼者或いは被検者にその結果を報告している。このような方法では、被検検体が残存したままで取り扱われるため、感染の危険が避けられないといった問題があった。また、スライドを用いた検査では平板上に描かれた円内に滴下された抗血清と被検試料を混和させる際に隣の円に抗血清が飛散、或いは流動により汚染するといった問題もあった。さらに撹拌時に被検試料の飛沫により検査担当者が感染の危険にさらされるといった問題もあった。試験管を用いる方法では、抗血清の汚染や被検試料の飛沫による検査担当者の感染の問題はないが、検査結果の報告方法及び検査が最低でも２種にわたるため多数検体の検査に不都合があった。最近、そのような問題を解決するため複数のカラムを利用した血液型判定装置及びそれを用いて自動的に検査する装置が開発され、それらでは検査結果を自動的に画像処理する方法が示されている（国際公開　ＷＯ９７／３７２１９）。しかしこの方法は、自動装置が大掛かりで、多数検体の処理には好都合であるが、少数の検体の検査には不向きであり、今尚、用手法による検査が多く行われており、検査時の抗血清の汚染や検査担当者の検査試料の飛沫による感染防止と、さらに検査結果の安全な報告及び保管方法の開発が望まれていた。
【０００３】
【発明が解決しようとする課題】
本発明の課題は、血液型判定検査の際に検査に用いる抗血清の汚染並びに検査担当者の検査試料の飛沫による感染を防止する方法及び検査結果の安全な報告並びに保管方法を提供することである。
【０００４】
【課題を解決する手段】
本発明者らは血液型判定検査の際に検査に用いる抗血清の汚染並びに検査担当者の検査試料の飛沫による感染を防止する方法及び検査結果の安全な報告並びに保管方法について研究を重ねた結果、市販のマイクロタイタープレートを利用して血液型判定の検査が可能であり、抗血清の汚染並びに検査担当者の検査試料の飛沫による感染を防止する方法が提供できることを見出した。そして、その結果をデジタルカメラ等で画像処理して、その画像を印刷したものを検査結果として報告することにより、安全な検査結果の報告が可能であることを見出し、本発明を完成させた。
【０００５】
本発明は以下の構成からなる。
１、複数の試料液を保持できる反応容器であり、該反応容器は使用するまでは内容物を含んでいなく、そして試料液を保持した状態で遠心分離可能な反応容器を用いることを特徴とする血液型判定検査方法。
２、上記１記載の反応容器がマイクロプレートである血液型判定検査方法。
３、複数の試料液を保持できる反応容器、スライド又は試験管を用いる血液型判定検査結果の報告方法において、検査結果を画像処理し、該検査結果を視覚化して検査依頼者又は被検者に提供することを特徴とする検査結果の報告方法。
４、上記２に記載の画像処理した検査結果を電子ファイル化し保管又は管理することを特徴とする検査結果の処理方法。
５、上記２又は３に記載の方法に用いる記録媒体。
【０００６】
【発明の実施の形態】
本発明は、血液型判定の検査方法およびその検査結果の報告及び保管方法に関するものである。
【０００７】
本発明は、多種類の血液型判定検査に適用できるが、ＡＢＯ型及びＲＨ型の検査を例に詳細に説明する。複数の試料液保持部を有する反応容器の好適な例としてマイクロタイタープレートが用いられる。マイクロタイタープレートは市販の平底、Ｕ字、Ｖ字の何れの形状のものでも使用できるが、とりわけ平底のものが凝集を判定する際に好適である。用いるマイクロタイタープレートのウエルの数およびサイズは検査の種類及び検体数を考慮して適宜選択すればよい。たとえばＡＢＯ型判定を表試験と裏試験及びＲＨ型判定を行う場合には対照を入れて８ウエルが一連になったものを準備すればよい。多数検体を処理する場合には検体数に合わせて準備する。ウエルの大きさは検査の全量１００μＬが収容でき、かつ撹拌可能なサイズであればよい。このようなマイクロタイタープレートは、使用前は空であり、反応終了後試料液を保持したままでプレート遠心機にかけて簡単に遠心分離することが可能である。マイクロタイタープレート以外には、プラスチック製またはガラス製の小試験管を連結させた反応容器を用いることも可能である（図１、図１−２）。図１−２には４つの試料液保持部を連結させたユニットをさらに奥行き方向に連結させたものを示した。この場合、連結部位で任意に切断して使用することも可能である。
【０００８】
具体的な検査の手技を以下に説明する。まずマイクロタイタープレートの第１ウエルに生理食塩水と被検血球を分注し２〜５％の血球浮遊液を調製する。次いで第２〜第４ウエルに抗Ａ血清、抗Ｂ血清、抗Ｄ血清を添加する。第１ウエルには生理食塩水を加えて陰性対照とするか、又は抗Ｈ血清を添加しても良い。次いで第１ウエル内に調製した血球浮遊液を所定量ずつ第２〜第４ウエルに分注する。一方、裏試験用の各ウエルにはＡ型血球、Ｂ型血球及びＯ型血球を順次分注し、被検血清をそれぞれ添加する。全ての試料及び抗血清等が分注された後、マイクロタイタープレートの上面をシールテープ或いは適当なカバーをすることにより、試料の飛散等の問題がより確実に解決できる。もちろん、このようなシールやカバーは必須であるというものではない。ここで各ウエルに分注する抗血清及び型血球の種類及び順番は特に限定されるものではなく、又前述のウエルの番号もウエルの識別を表したものに過ぎない。
【０００９】
所定の分注後プレートミキサー等で撹拌混和しながら凝集を肉眼で判定するとともに、カメラ等で検査結果を画像化する。この場合には、従来のスライドによる検査の前述の問題点を解決した上に、スライド法による肉眼判定と同様の判定が可能となる。さらに、反応させたマイクロタイタープレートをマイクロプレート遠心機で遠心したのち、沈殿した血球を振り解いて凝集を観察し、検査結果を画像化することも可能である。この場合には、従来の試験管法の問題点を解決した上で試験管法と同様の判定が可能である。従って、本発明の方法によると、従来のスライド法及び試験管法の２通りの検査法を一つの用具又は装置で同一の試料で実施できる。画像化する方法として電子記憶媒体を用いたデジタルカメラ、さらにスキャナー等の他一般の光学フィルムを用いたカメラ等特に限定されることなく、後の検査結果報告および保管管理に好適なものを選択することができる。
【００１０】
以上のように血液型判定検査を行って、画像処理されて得られた検査結果は、適宜電子的に処理後、印刷して検査依頼者又は被検者に報告書として提供する。このときに、電子記憶媒体を合わせて提供することも可能である。光学フィルムの場合には、フィルムの現像、プリント等の通常の写真の処理方法により処理し、プリントした検査結果を報告書として検査依頼者又は被検者に提供することができる。さらに、画像処理された検査結果は、容易に保管管理することができる。
【００１１】
血液型判定検査結果を画像処理して、検査結果の報告、保管及び管理する処理方法は、マイクロタイタープレートを用いた検査方法に限定されることなく、紙、プラスチック、ガラススライド又は試験管を用いた検査にも適用される。従来のスライドを用いた方法では、検査結果を報告するために、検査のあと凝集塊を残しながら、水分を吸引除去し、乾燥させる工程が必要であったが、本発明の方法ではそのような煩雑で熟練を要する工程を必要とせず簡便でしかも安全な検査結果の報告、保管及び管理が可能である。
【００１２】
【実施例】
本発明の実施例を以下に示すが、本発明は実施例に限定されるものではない。
【実施例１】
市販の４８穴（６×８）マイクロタイタープレートを用いて、右端の第１穴目に生理食塩水２００μＬを分注した。次いで被検血液１０μＬを分注し、撹拌して５％血球浮遊液を調製した。調製した浮遊液の５０μＬずつを第２穴〜第４穴に分注するとともに、第１穴に生理食塩水１滴（５０μＬ）、第２穴に抗Ａ血清１滴（５０μＬ）、第３穴に抗Ｂ血清１滴（５０μＬ）第４穴に抗Ｄ血清１滴（５０μＬ）を加えた。さらに第５穴から第８穴にかけて別の検体を同様に処理して検査した。同様な方法で１枚のプレートで合計１０人の血液型判定検査を行った。試料と抗血清を各ウエルに分注後、プレートミキサーで緩やかに撹拌しながら凝集塊の生成状況を観察した。その結果をフラットスキャナーによる画像取り込みを行った。その後、プレートをマイクロプレート遠心機にかけ、１０００ｒｐｍで６０秒遠心後、沈殿した血球を静かに振り解きながら凝集塊を観察した。この場合には、試験管法の感度と同等であることが確認された。その結果を画像化したものを図２に示した。１０人全ての検査結果は、スライド法及び試験管法の結果と一致しており、本発明の有用性が確かめられた。
【００１３】
【実施例２】
実施例１で行った検査結果を被検査者に報告する様式例を図３に示した。
【００１４】
【発明の効果】
本発明により、従来のスライド法による血液型判定検査の抗血清の汚染並びに検査担当者の検査試料の飛沫による感染等の問題を解決し、スライド法及び試験管法による両方の検査を同一の用具又は装置で、しかも同一の試料で検査が可能であるという画期的な検査方法を提供できる。さらに、感染の恐れのない検査結果を検査依頼者或いは被検者に報告することが可能となり、しかも結果を容易に保管管理できるといった格別の効果をもたらした。
【図面の簡単な説明】
【図１】連結小試験管の例を示した断面図である。
【図１−２】連結小試験管を奥行き方向に連結した図である。
【図２】マイクロタイタープレートによる検査結果を印刷したものである。
【図３】血液型判定検査報告書の一例である。
【図１】
2004144534.tif 000003
【図１−２】
2004144534.tif 000004
【図２】
2004144534.tif 000005
【図３】
2004144534.tif 000006